(57)【要約】 【課題】  サムターン座の形状や錠前の幅を極力小さなものに設定すること。【解決手段】  サムターン座及び少なくとも施錠状態の情報を表示する情報表示手段を備えたサムターンユニットと、このサムターンユニットに脱着自在な操作手段とを備え、情報表示手段の情報が、操作手段の回転操作に基づきサムターン座の窓状開口部から表われる扉用錠前に於いて、前記情報表示手段５の情報Ｍを有する識別円板５ａは、サムターンユニット４を構成する筒状取付け台座１４の外端部１４ａとキャップ状サムターン座２１の垂直内壁面２１ａとの間の空間部分２０に設けられていること。【選択図】  図３
2006233485.tif 000002
【特許請求の範囲】
【請求項１】
サムターン座及び少なくとも施錠状態の情報を表示する情報表示手段を備えたサムターンユニットと、このサムターンユニットに脱着自在な操作手段とを備え、情報表示手段の情報が、操作手段の回転操作に基づきサムターン座の窓状開口部から表われる扉用錠前に於いて、前記情報表示手段５の情報Ｍを有する識別円板５ａは、サムターンユニット４を構成する筒状取付け台座１４の外端部１４ａとキャップ状サムターン座２１の垂直内壁面２１ａとの間の空間部分２０に設けられていることを特徴とする扉用錠前。
【請求項２】
請求項１に於いて、情報表示手段５は、識別円板５ａの裏側中心部に該識別円板と直交するように突設された円筒状嵌合部５ｂを有し、該円筒状嵌合部にサムターン入力軸８の嵌入部分３５が嵌入していることを特徴とする扉用錠前。
【請求項３】
請求項２に於いて、サムターン入力軸８の嵌入部分３５とサムターンユニット４に差し込まれた操作手段３の挿入軸３ａは、情報表示手段５の円筒状嵌合部５ｂ内で互いに係合することを特徴とする扉用錠前。
【請求項４】
請求項１に於いて、情報表示手段５の前方に位置するサムターン座２１の垂直内壁面２１ａの枠状突起部分２３内には、操作部材３の挿入軸３ａと係合可能な開口縁部４１ａを有する可動のストッパー板６が押え板２７に支持された状態で設けられていることを特徴とする扉用錠前。  
【請求項５】
請求項４に於いて、ストッパー板の胴体部分４１の一側面には、サムターン座２１の内壁面と摺接する薄い摺接板４４が固定されていることを特徴とする扉用錠前。
【請求項６】
サムターン座及び少なくとも施錠状態の情報を表示する情報表示手段を備えたサムターンユニットと、このサムターンユニットに脱着自在な操作手段とを備え、情報表示手段の情報が、操作手段の回転操作に基づきサムターン座の窓状開口部から表われる扉用錠前に於いて、前記情報表示手段５Ａの情報Ｍを有する識別円板５ａは、サムターンユニット４を構成する筒状取付け台座１４の外端部１４ａとキャップ状サムターン座２１の垂直内壁面２１ａとの間の空間部分２０に設けられ、しかも、前記情報表示手段５Ａはサムターン入力軸８Ａに嵌合し、操作手段３Ａを回転すると、サムターン入力軸８Ａを介して回転することを特徴とする扉用錠前。
【請求項７】
サムターン座及び少なくとも施錠状態の情報を表示する情報表示手段を備えたサムターンユニットと、このサムターンユニットに脱着自在な操作手段とを備え、情報表示手段の情報が、操作手段の回転操作に基づきサムターン座の窓状開口部から表われる扉用錠前に於いて、前記操作手段は合鍵３Ｂであり、一方、前記サムターンユニット４の中に内側シリンダー錠５１を組込み、該内側シリンダー錠の外筒体にサムターン入力軸８Ｂと係合関係にある情報表示手段５Ｂを外嵌合し、この情報表示手段５Ｂは、操作手段３Ｂの操作力により回転し、少なくとも施錠状態又は／及び解錠状態の時にキャップ状サムターン座の窓状開口部７に識別情報を表すことを特徴とする扉用錠前。
【請求項８】
請求項７に於いて、情報表示手段５Ｂは、内側シリンダー錠５１の外筒体に外嵌合し、かつ、室内側周端面に情報Ｍが付された表示筒５５と、この表示筒５５に係合状態で共働する伝動体５６とから構成されていることを特徴とする扉用錠前。
【発明の詳細な説明】
【技術分野】
【０００１】
本発明は、錠箱の側壁や扉壁に取り付けられるサムターンユニットに対して脱着する操作部材を備えた扉用錠前に関し、特にサムターンユニットの中に施解錠状態の情報表示手段が内装された扉用錠前に関する。
【背景技術】
【０００２】
特許文献１の段落００３１及び図５，図６（公報中の番号をそのまま用いる）には、「室内側に位置するサムターンベース２３の表面に略三角形状の窓部７５を形成し、一方、サムターンベース２３と錠箱Ａと対面する扉内蓋板４５との間に回転自在に横設された長筒状標示ギヤ３７の端面３７ａに錠前の施解錠状態の情報を示す赤色、黄色、緑色の視認用目印８１を設け、図示しないサムターン本体、合鍵等の操作部材を施錠又は解錠方向へ回転操作した場合に、常に視認用目印の何れかの色が見える旨」が記載されている。
【０００３】
また、段落００４４には、「上記防犯サムターンによれば、窓部７５に常に標示ギヤ３７の回転位置、すなわち、錠箱Ａの施解錠状態が標示され、摘みの回転位置によっては認識できなくなった施錠ボルトの施解錠状態を容易に確認することができるようになり、摘みの回転位置によっては施解錠状態が認識できなくなった防犯サムターンＣにおいて、施錠から解錠、或いは解錠から施錠への認識が容易となって誤操作をなくし、操作性を向上させることができる。
【０００４】
特に、合鍵の挿脱が定位置、例えば水平位置である構成のシリンダー錠の場合に、操作性を向上させることができる旨」が記載され、また、段落００５０には、発明の効果の一つとして、「サムターンコアに連動する標示ギヤと、サムターンベースに設けられた窓部と、標示ギヤに設けられ所定の回転角度毎に窓部に異なる標示を行う視認用目印とを備えたので、窓部に常に錠箱の施解錠状態が標示され、摘みの回転位置によっては認識できなくなった施錠ボルトの施解錠状態を容易に確認することができるようになる。これにより、摘みの回転位置によっては施解錠状態が認識できなくなった防犯サムターンにおいて、施錠から解錠、或いは解錠から施錠への認識が容易となり、誤操作をなくして、操作性を向上させることができる旨」がそれぞれ記載されている。
【０００５】
したがって、特許文献１には、既に「扉の内壁面にサムターンユニットを構成するサムターン座を取付け、該サムターン座に操作手段（サムターン本体又は内側シリンダー錠用の合鍵）を抜脱自在に差込み、該操作手段の摘みを操作すると、該操作力に基づき、前記サムターンユニットの中に設けた施解錠状態を示す情報表示手段が、サムターンコア、駆動ギヤをそれぞれ介して回転し、錠前の施解錠状態を外部に知らせる構成」が開示されている（公知事項１）。
【０００６】
しかしながら、特許文献１の防犯サムターンは、同文献の図３、図４で示すように、サムターンコア、駆動ギヤ、標識ギヤを縦方向に噛合するように並列した構造であることから、錠前が大型化するという問題点があると共に、発明の主たる目的が「汎用性を高めるために左右勝手の切替えを可能とすること」であったために、前記標識ギヤをサムターン軸又はサムターンコアの位置を標準にしてサムターンベース（サムターン座）内に、必ずしも合理的に組み合わせているものではなかった。
【０００７】
換言すれば、操作手段でダイレクトに回される表示部材に、又はサムターンコアに一体的に結合する表示部材に情報表示をするものではなかった。そのため、サムターンベースが縦方向に比較的長くなる、表示部材を回転させるための部品が多くなる、錠前の幅が扉厚方向に比較的大きくならざるを得ない等の問題点を有していた。
【０００８】
そこで、抜き取り自在な操作部材を備えた錠前に於いて、特に、操作部材をサムターンベース（サムターン座）から抜き取った後に「錠前が施錠状態であったか、それとも解錠状態であったのか」、いわゆる施解錠状態を知らせる情報表示手段をサムターン軸又はサムターンコアと合理的に結合することにより、特許文献１の問題点を解消することができる錠前が要望されている。
【０００９】
なお、特許文献２には、操作手段のストッパー用係合部と係脱する開口縁部を有する胴体部分と、該胴体部分に連設すると共に端部がケース部から突出する操作部分と、胴体部分に連設すると共に、前記操作部分の端部を指で押し下げることによりケース部の内壁面に圧接して弾性変位し得る左右一対の細幅アーム部とから成るストッパー板が開示されている（公知事項２）。
【特許文献１】特開２００２−３６０２１２号公報
【特許文献２】特開２００４−３４６５４０号公報
【発明の開示】
【発明が解決しようとする課題】
【００１０】
本発明の第１の目的は、脱着自在な操作部材を備えた扉用錠前に於いて、少なくとも施錠状態の情報を知らせる情報表示手段をサムターン軸又はサムターンコアの位置にあわせて合理的に配設し、これによりサムターン座の形状や錠前の幅を極力小さなものに設定することである。第２の目的は、各部材を簡単に組み合わせることができることである。その他、例えばキャップ状サムターン座の空間部分を有効的に活用する等の目的は、従属項によって限定し得る。
【課題を解決するための手段】
【００１１】
本発明の扉用錠前は、サムターン座及び少なくとも施錠状態の情報を表示する情報表示手段を備えたサムターンユニットと、このサムターンユニットに脱着自在な操作手段とを備え、情報表示手段の情報が、操作手段の回転操作に基づきサムターン座の窓状開口部から表われる扉用錠前に於いて、前記情報表示手段５の情報Ｍを有する識別円板５ａは、サムターンユニット４を構成する筒状取付け台座１４の外端部１４ａとキャップ状サムターン座２１の垂直内壁面２１ａとの間の空間部分２０に設けられていることを特徴とする。
【００１２】
また本発明の扉用錠前は、サムターン座及び少なくとも施錠状態の情報を表示する情報表示手段を備えたサムターンユニットと、このサムターンユニットに脱着自在な操作手段とを備え、情報表示手段の情報が、操作手段の回転操作に基づきサムターン座の窓状開口部から表われる扉用錠前に於いて、前記情報表示手段５Ａの情報Ｍを有する識別円板５ａは、サムターンユニット４を構成する筒状取付け台座１４の外端部１４ａとキャップ状サムターン座２１の垂直内壁面２１ａとの間の空間部分２０に設けられ、しかも、前記情報表示手段５Ａはサムターン入力軸８Ａに嵌合し、操作手段３Ａを回転すると、サムターン入力軸８Ａを介して回転することを特徴とする。
【００１３】
さらに、本発明の扉用錠前は、サムターン座及び少なくとも施錠状態の情報を表示する情報表示手段を備えたサムターンユニットと、このサムターンユニットに脱着自在な操作手段とを備え、情報表示手段の情報が、操作手段の回転操作に基づきサムターン座の窓状開口部から表われる扉用錠前に於いて、前記操作手段は「合鍵３Ｂ」であり、一方、前記サムターンユニット４の中に内側シリンダー錠５１を組込み、該内側シリンダー錠５１の外筒体にサムターン入力軸８Ｂと係合関係にある筒状の情報表示手段５Ｂを外嵌合し、この情報表示手段５Ｂは、操作手段３Ｂの操作力により直接回転し、又は前記サムターン入力軸８Ｂを介して回転し、少なくとも施錠状態又は／及び解錠状態の時にキャップ状サムターン座の窓状開口部７に識別情報を表すことを特徴とする。
【発明の効果】
【００１４】
（１）施解錠状態を知らせる情報表示手段をサムターン軸又はサムターンコアの位置にあわせて合理的に配設した（例えばキャップ状サムターン座の空間部分に情報表示手段の識別円板５ａを配設した）ので、サムターン座の形状や錠前の幅を極力小さなものに設定することができる。つまり、錠前を全体的にコンパクト化できる。
（２）請求項２や請求項３に記載の発明は、各部材を簡単に組み合わせることができると共に、錠前の扉厚方向の幅を比較的小さくすることができる。
（３）請求項４に記載の発明は、キャップ状サムターン座の空間部分を有効的に活用することができる。
（４）請求項５に記載の発明は、ストッパー板の滑動を良好にし得る。
【発明を実施するための最良の形態】
【００１５】
以下、図１乃至図１１に示す本発明を実施するための最良の形態により説明する。
【００１６】
（１）発明の実施の環境
本発明の製品化レベルでの具体的な実施例（特殊な錠前）を説明する前に、錠箱、外側のシリンダー錠、サムターンコア、取り付け台座、脱着自在な操作手段、情報表示手段を簡略的に組み合わせた図１を参照にして、本発明の実施の環境と共に、基本的な構成要件を概念的に説明する（図１では、判りやすくするために、ダルマ、ダルマ用支持座、固着具等を省略）。
【００１７】
背景技術で説明したように、本発明の技術的思想は、「扉１の内壁面１ａにサムターンユニットを構成するサムターン座を取付け、該サムターン座に脱着自在な操作手段（サムターン本体又は内側シリンダー錠用の合鍵）を差込み、錠前Ｘの施錠片２を進退動させるための操作手段３の摘みを操作すると、サムターンユニット４の中に設けた施解錠状態を示唆する情報表示手段５が、操作手段３と共に直接又はサムターンコア８を介して間接的に回転し、情報表示手段５の前面及びサムターン座の開口部分７により錠前の施解錠状態を知らせる」。
【００１８】
特に、前記操作手段３は、取付け台座、キャップ状サムターン座等で構成されるサムターンユニット４から、ストッパー板６を押圧操作すると、簡単に抜き取ることが可能である（特許文献２の技術を応用）。
【００１９】
そこで、製品化レベルでの第１実施例は、情報表示手段５が抜脱自在な操作手段３に係合部、被係合部の係合関係を介して外嵌合可能であり、操作手段３を情報表示手段５に係合状態に差込嵌合した状態で操作すると、両部材は一体的に回転し、少なくとも施錠状態又は／及び解錠状態の時に前記キャップ状サムターン座の窓状開口部７に識別情報Ｍを表す。この識別情報Ｍは、情報表示手段５の室内側前面に付された印刷、識別シール、スタンプ、刻印等による文字、色彩、模様、図形、キャラクター等である。
【００２０】
また、製品化レベルでの第２実施例は、情報表示手５Ａが操作手段３Ａと同軸上に配設されたサムターンコア或いはサムターン入力軸（操作軸の一部品に相当）８Ａに一体的に結合した状態で共働回転し、少なくとも施錠状態又は／及び解錠状態の時にキャップ状サムターン座の窓状開口部７に識別情報を表す。
【００２１】
さらに、製品化レベルでの第２実施例は、操作手段３Ｂの一例として「合鍵」を採用したことに基づき、サムターンユニット４の中に内側シリンダー錠５１を組込み、該内側シリンダー錠５１の外筒体にサムターン入力軸８Ｂと係合関係にある情報表示手段５Ｂを外嵌合し、この情報表示手段５Ｂは、操作手段３Ｂの操作力により回転し、少なくとも施錠状態又は／及び解錠状態の時にキャップ状サムターン座の窓状開口部７に識別情報Ｍを表す。
【００２２】
以下、本発明の特定要件について順次説明するが、細部的な事項や当業者に自明な事項はその説明を割愛する。
【００２３】
（２）錠前Ｘの構成の一部
図２及び図３に製品化レベルでの具体的実施例が示されている。図２及び図３に於いて、１は建具の扉、１ａはその内壁面、１ｂは外壁面である。図２及び図３から明らかなように、扉１に内装された錠箱１０は、外側シリンダー１１、防犯用外筒体１２等の他の部材と比較すると幅が狭い。また、外側シリンダー１１が錠箱１０に貫通状態に近い状態で横設されている。さらに、ダルマ１８は、防犯用外筒体１２に外嵌合している。
【００２４】
まず、錠前Ｘの構成の一部に関し、１０は施錠片２を備えた錠箱で、周知のように、扉１に内装された錠箱１０のフロントは露呈状態に設けられ、操作手段３の一例である「サムターン摘み」を室内側から操作すると、デッドボルトや鎌片と称される施錠片２はダルマ１８を介して図示しないフロントから出没する。フロント等の自明事項は割愛する。
【００２５】
次に、１１は外側のシリンダー錠で、該シリンダー錠１１は、扉１乃至錠箱１０内に組み込まれた防犯用外筒体１２に先端部側又は略全体が内装されている。本実施例のシリンダー錠１１は、防犯用外筒体１２に略全体が内装されている。
【００２６】
１３はシリンダー錠用化粧板である。防犯用外筒体１２には、挿入側の内端面から化粧板１３に向かって符号を付さない複数個の大小のメネジ部が形成されている。これらのメネジ部は、大小の固着具を介してサムターンユニット４を構成する取付け台座１４及びサムターン入力軸８用支持板１５をそれぞれ所定位置に固定するために利用されている。
【００２７】
シリンダー錠１１の挿入端面からは駆動軸を構成するテールピース１６が突出し、このテールピース１６はサムターン入力軸８の一端部（図では左端部）に形成した凹所状の係合溝１７に係合可能に入り込んでいる。
【００２８】
ところで、本実施例の錠前Ｘに於いて、錠箱１０に貫通状態に組み込まれた防犯用外筒体１２には、錠箱１０内に固定的に設けられた左右一組の軸受けを介して環状のダルマ１８が外嵌合している。
【００２９】
特に図示しないが、ダルマ１８の駆動腕により、施錠片２が進退動する。また、防犯用外筒体１２は、取付け台座１４側から捩じ込まれた複数本の固着具１９を介して取付け台座１４と一体的に結合している。
【００３０】
（３）サムターンユニット４
錠箱１０の一側面又は扉１の内壁面１ａに配設されるサムターンユニット４は、本実施例では、扉１の内壁面１ａから錠箱１０へと組み込まれた筒状取付け台座１４と、この取付け台座１４の鍔状外端部１４ａに一体的に係合し、かつ、鍔状外端部１４ａと垂直内壁面２１ａとの間に空間部分２０を設定して扉１の内壁面１ａにその周端部２１ｂの端面が当接するように設けられたキャップ状サムターン座２１と、このサムターン座２１の周端部の一部分に形成した窓状開口部（本実施例では切欠）７に施解錠状態を知らせる情報Ｍを表示することができるように前記空間部分２０に配設された識別円板５ａを有する情報表示手段５と、前記サムターン座２１の垂直内壁面２１ａに該サムターン座２１の中心孔２２を取り囲むように突設された枠状突起部分２３内に可動可能に設けられた操作手段用ストッパー板６と、このストッパー板６が前記枠状突起部分２３から外れないように複数個の固定手段（例えば固着具）２５を介してサムターン座２１の裏側の取付け部分２６に固定された押え板２７と、それに加え、複数個の小さな固着具２８を介して防犯用外筒体１２の内端面に垂直状態に固定された前述のサムターン入力軸８用支持板１５とから構成されている。
【００３１】
そして、前記情報表示手段５の円形状識別板５ａの情報Ｍは、図１０及び図１１で示すように、少なくとも施錠状態の時と解錠状態の時に、例えば異なる色で外観上示唆され得る。
【００３２】
また、本実施例では、サムターン座２１の中心孔２２を介して挿入軸３ａ及び摘み３ｂを有するサムターン本体（サムターン摘み）３をサムターンユニット４に差し込んだ時、該サムターン本体３は、ストッパー板６に軸方向の動きが規制され、一方、サムターン本体３をサムターンユニット４から抜き取る時、ストッパー板６を指で押圧操作することにより、サムターン本体３をサムターンユニット４から引き抜くことができる。
【００３３】
そのために、ストッパー板６を規制する枠状突起部分２３は、サムターン座２１の中心孔２２の一部分を取り囲むようにリブ状に形成されている反面、ストッパー板６の押圧操作する操作部分には枠状突起部分２３が存在しない（図５，図６参照）。
【００３４】
（４）情報表示手段と他の部材との関係
図４で示すように、情報表示手段５は、鍔の大きい断面ハット形状に形成されている。しかして、この情報表示手段５は、前述した空間部分２０に位置する識別円板５ａと、該識別円板５ａの裏側中心部に該識別円板５ａと直交するように突設された円筒状嵌合部５ｂとから構成され、前記識別円板５ａの前面には、施錠や解錠を意味する情報Ｍ（例えば異なる色彩）が円周方向に付されている。前記情報Ｍは、操作手段３と共に情報表示手段５が所定量回転すると、サムターン座２１の周端部の窓状開口部７から選択的に現れる。
【００３５】
当然のことながら、施錠状態を知らせる情報Ｍと、解錠状態を知らせる情報Ｍの色は異なっている。情報Ｍが色彩の場合には、要は色が変われば良い。もちろん、色彩と文字情報とを組み合わせても良い。
【００３６】
図１０及び図１１はサムターン本体３を施錠状態にした場合（図１０）とサムターン本体３を解錠状態にした場合（図１１）とでは、窓状開口部７から見える情報Ｍの色がそれぞれ異なっていることを示している。
【００３７】
サムターン入力軸（サムターンコア）８は、前述したように、外側シリンダー錠１１に対向する一端部には、テールピース用係合溝１７が形成されている。また一端部には符号を付さないフランジ部が周設されている。そして、フランジ部の一側面には嵌入部分３５が水平方向に延設し、該嵌入部分３５は、図２及び図３で示すように情報表示手段５の円筒状嵌合部５ｂに嵌入していると共に、操作部材３をサムターンユニット４に差し込んだ場合には、操作部材３の筒状挿入軸部３ａにも嵌入し得る。なお、嵌入部分３５の外周壁には、筒状挿入軸部３ａの被係合部と係合する係合突起が適宜に形成されている。
【００３８】
（５）サムターン本体３
サムターン本体３は、基本的には、筒状挿入軸部３ａと、摘み３ｂとから成るが、前記挿入軸部３ａの外周壁の適宜部位には、軸方向に単数又は複数個の係合部（例えば係合突起）３１が形成されている。この係合部３１が係合する数又は複数個の被係合部（例えば係合溝）３２は情報表示手段５の円筒状嵌合部５ｂの内周壁に筒軸方向に形成されている。
【００３９】
また、挿入軸部３ａは、少なくとも情報表示手段５の被係合部３２と係合可能な大径部分と、ストッパー板６の係合孔の開口縁部分４１ａが係合可能な小径部分（ストッパー板用係合部）３３とを有している。
【００４０】
（６）ストッパー板６
図７及び図８にストッパー板６の一例を示す。このストッパー板６は、キャップ状サムターン座２１の枠状突起部分２３内に組み込まれ、かつ、該突起部分２３に固定された押え板２７に支持されている（図９）。
【００４１】
しかして、ストッパー板６は、図５乃至図８に示すように、操作手段３のストッパー用係合部３３と係脱する開口縁部４１ａを有する胴体部分４１と、該胴体部分４１に長板状に連設すると共に端部がサムターン座２１から多少突出する操作部分４２と、胴体部分４１の上部側の左右に連設すると共に、前記操作部分４２の端部を指で押し上げ（本実施例）ることによりサムターン座２１の前記枠状突起部分２３の内壁面に圧接して弾性変位し得る左右一対の細幅アーム部４３とから成る。
【００４２】
そして、前記胴体部分４１の一側面には、図８で示す薄い摺接板４４が固定されている。本実施例では、サムターン座２１の内壁面をスライドする金属製或いは合成樹脂製の薄い摺接板４４がカシメ手段等により固定的に添設されている。この薄い摺接板４４は、例えばストッパー板６の滑動の良好性、補強性等を考慮してもので、中央部には胴体部分４１の係合孔と同一寸法の円形状開口部４５が形成されていると共に、左右の適宜部位にカシメ用突片４６が折り曲げ形成されている。
【００４３】
上記構成に於いては、図５及び図６を対比すると明らかなように、所望時に前記操作部分４２を指で押し上げ、該ストッパー板６の開口縁部４１ａと操作手段３の係合部３３との干渉状態を解消させながら操作手段３をそのまま引き抜くことができる。
【００４４】
（７）押え板２７
押え板２７は、図９で示すように、取付け部分２６に螺合する固着具２５を介してサムターン座２１の枠状突起部分２３から食み出るように固定される。押え板２７の形状は任意に設計変更可能であるが、該押え板２７は情報表示手段５の識別円板５ａの前方に位置することから、窓状開口７を塞がない形状であることを要する。なお、押え板２７には符号を付さない操作手段や固着具用の貫通孔がそれぞれ形成されている。
【実施例】
【００４５】
まず、図１２乃至図１４に示す本願発明の第２実施例を説明する。次に、図１５乃至図１７に示す本願発明の第３実施例を説明する。なお、第２実施例等の説明にあたって、第１実施例の構成と同一部分には同一又は同様の符号を付し、また作用効果の説明もそのまま援用する。したがって、重複する説明を省略する。
【００４６】
第１実施例と第２実施例の相違点は、情報表示手段５，５Ａが操作手段３，３Ａによってダイレクトに回される（第１実施例）のか、それとも、サムターン入力軸８Ａを介して間接的に回されるのか（第２実施例）の相違に過ぎない。
【００４７】
第２実施例の扉用錠前Ｘ１の情報表示手段５Ａは、サムターン入力軸（サムターンコア）８Ａに嵌合している。すなわち、情報表示手段５Ａは、サムターン入力軸（サムターンコア）８Ａと同心軸上に位置し、かつ、操作手段３Ａを操作すると、該操作手段３Ａに係合するサムターン入力軸８Ａを介して一緒に回転する。その余は同一である。また、細部的事項の説明は割愛する。このように構成しても第１実施例の主要部をそのまま含み、同一の目的を達成することができる。
【００４８】
第１実施例と第３実施例の主な相違点は、操作手段３Ｂである。すなわち、扉用錠前Ｘ２の操作手段３Ｂは「合鍵」であり、一方、サムターンユニット４の中に複数個の可動障害子を有する内側シリンダー錠５１を組込み、該内側シリンダー錠５１の外筒体にサムターン入力軸８Ｂと係合関係にある情報表示手段５Ｂを外嵌合し、この情報表示手段５Ｂは、操作手段３Ｂの操作力により回転し、少なくとも施錠状態又は／及び解錠状態の時にキャップ状サムターン座の窓状開口部７に識別情報Ｍを表すことである。
【００４９】
ところで、第３実施例の情報表示手段５Ｂは、図１５及び図１７で示すように、内側シリンダー錠５１の外筒体に外嵌合し、かつ、室内側周端面（前面）に情報Ｍが付された表示筒５５と、この表示筒５５に係合状態で共働する伝動体５６とから構成されている（二分割の部材）。
【００５０】
しかして、前記表示筒５５の扉側周端面（後面）には、複数個の係合突起５７が突出形成され、一方、伝動体５６の円板部分５６ａの周縁部には、前記係合突起５７と係合する複数個の被係合部（例えば切欠）５８が形成されている。そして、伝動体５６は合鍵３Ｂによって回転する部材であることから、円板部分５６ａの前面には、合鍵３Ｂの挿入先端部分が係合するキー用係合部（例えば溝）５９が形成され、一方、円板部分５６ａの後面には、サムターン入力軸８Ｂに係合する突起部分６０が形成されている。
【００５１】
この第３実施例に於いて、合鍵３Ｂを回転すると、情報表示手段５Ｂの表示筒５５は、伝動体５６を介して回転する。したがって、前記伝動体５６を「サムターン入力軸８Ｂ」と位置付けても、技術的思想は実質的に同じである。
【産業上の利用可能性】
【００５２】
本発明は、主に建具や錠前の業界で利用される。
【図面の簡単な説明】
【００５３】
図１乃至図１１は本発明の最良の実施例（第１実施例）を示す各説明図。図１２乃至図１４は本発明の第２実施例を示す各説明図。図１５乃至図１７は本発明の第３実施例を示す各説明図。
【図１】本発明の基本的な構成要件を概念的に示した説明図。
【図２】第１実施例の概略横断面説明図。
【図３】第１実施例の概略縦断面説明図。
【図４】情報表示手段と他の部材との関係を示す概略説明図。
【図５】サムターン座の枠状突起部分内にストッパー板が嵌め込まれている状態の説明図（係合時）。
【図６】図５に於いて、指でストッパー板を押圧した時の説明図（係合解消時）。
【図７】ストッパー板の説明図。
【図８】ストッパー板の摺接板の説明図。
【図９】押え板の説明図。
【図１０】室内側から見える施錠状態の説明図。
【図１１】室内側から見える解錠状態の説明図。
【図１２】第２実施例の概略横断面説明図。
【図１３】第２実施例の概略縦断面説明図。
【図１４】第２実施例の主要部分の概略説明図。
【図１５】第３実施例の概略横断面説明図（異なる部材の概略図も含む）。
【図１６】第３実施例の概略縦断面説明図。
【図１７】第３実施例の情報表示手段の説明図。
【符号の説明】
【００５４】
Ｘ，Ｘ１，Ｘ２…錠前、1…扉、１ａ…内壁面、２…施錠片、３，３Ａ，３Ｂ…操作手段、３ａ…筒状挿入軸部、３ｂ…摘み、４…サムターンユニット、５，５Ａ，５Ｂ…情報表示手段、５ａ…識別円板、Ｍ…情報、５ｂ…円筒状嵌合部、６…ストッパー板、７…窓状開口部、８，８Ａ，８Ｂ…サムターン入力軸（サムターンコア）、１０…錠箱、１１…外側シリンダー、１２…防犯用外筒体、２１ａ…垂直内壁面、１３…化粧板、１４…取付け台座、１４ａ…外端部、１５…サムターン入力軸８用支持板、１６…テールピース、１７…テールピース用係合溝、１８…ダルマ、２０…空間部分、２１…キャップ状サムターン座、２２…中心孔、２３…枠状突起部分、２４…、２５…固定手段、２６…取付け部分、２７…押え板、１９，２８…固着具、３１…係合部（例えば係合突起）、３２…被係合部（例えば係合溝）、３３…小径部分（ストッパー板用係合部）、３５…嵌入部分、４１…胴体部分、４１ａ…開口縁部分、４２…操作部分、４３…細幅アーム部、４４…摺接板、５１…内側シリンダー錠、５５…表示筒、５１…伝動体。
【図１】
2006233485.tif 000003
【図２】
2006233485.tif 000004
【図３】
2006233485.tif 000005
【図４】
2006233485.tif 000006
【図５】
2006233485.tif 000007
【図６】
2006233485.tif 000008
【図７】
2006233485.tif 000009
【図８】
2006233485.tif 000010
【図９】
2006233485.tif 000011
【図１０】
2006233485.tif 000012
【図１１】
2006233485.tif 000013
【図１２】
2006233485.tif 000014
【図１３】
2006233485.tif 000015
【図１４】
2006233485.tif 000016
【図１５】
2006233485.tif 000017
【図１６】
2006233485.tif 000018
【図１７】
2006233485.tif 000019